(57)【要約】【課題】多重ＦＡを支援する広帯域無線接続システムにおいて、一つのセルのＦＡ間ハンドオーバー方法及び互いに異なるセルにおけるＦＡ間ハンドオーバー方法を提供する。【解決手段】多重周波数割り当てを支援する広帯域無線接続システムで、サービス提供基地局がハンドオーバーを制御する方法において、移動局から、前記移動局の識別子を含むハンドオーバー要請メッセージを受信する段階と、ハンドオーバー目的基地局に、前記移動局の識別子を含むハンドオーバー要請知らせメッセージを伝送する段階と、前記目的基地局が支援可能な周波数割り当てに関する情報を含むハンドオーバー要請知らせ応答メッセージを受信する段階と、前記移動局に、前記周波数割り当てに関する情報を含むハンドオーバー応答メッセージを伝送する段階と、を含んでハンドオーバー制御方法を構成する。【選択図】図１
2008502272.tif 000002
【特許請求の範囲】
【請求項１】
多重周波数割り当てを支援する広帯域無線接続システムで、サービス提供基地局がハンドオーバーを制御する方法において、
移動局から、前記移動局の識別子を含むハンドオーバー要請メッセージを受信する段階と、
ハンドオーバー目的基地局に、前記移動局の識別子を含むハンドオーバー要請知らせメッセージを伝送する段階と、
前記目的基地局が支援可能な周波数割り当てに関する情報を含むハンドオーバー要請知らせ応答メッセージを受信する段階と、
前記移動局に、前記周波数割り当てに関する情報を含むハンドオーバー応答メッセージを伝送する段階と、を含んで構成されるハンドオーバー制御方法。
【請求項２】
前記周波数割り当てに関する情報は、割り当て周波数帯域の中心周波数であることを特徴とする請求項１に記載のハンドオーバー制御方法。
【請求項３】
前記周波数割り当てに関する情報は、割り当て周波数帯域に相応する周波数割り当て識別子であることを特徴とする請求項１に記載のハンドオーバー制御方法。
【請求項４】
前記ハンドオーバー要請知らせ応答メッセージに対する応答として、前記目的基地局に、前記移動局が前記支援可能な周波数割り当てでハンドオーバーを行うことを知らせるハンドオーバー確認メッセージを伝送する段階をさらに含んで構成される請求項１に記載のハンドオーバー制御方法。
【請求項５】
前記ハンドオーバー要請知らせメッセージは、連結パラメータ、収容能力、必要な帯域幅及びサービス品質に関する情報をさらに含むことを特徴とする請求項１に記載のハンドオーバー制御方法。
【請求項６】
前記ハンドオーバー要請知らせ応答メッセージは、前記ハンドオーバー要請知らせメッセージの受信確認に関する情報、要請したサービス品質提供可否に関する情報をさらに含むことを特徴とする請求項１に記載のハンドオーバー制御方法。
【請求項７】
前記移動局から、ハンドオーバー応答メッセージに相応し、ハンドオーバー遂行形態による実行モードに関する情報を含むハンドオーバー遂行知らせメッセージを受信する段階をさらに含んで構成される請求項１に記載のハンドオーバー制御方法。
【請求項８】
前記実行モードは、ネットワーク上のバックボーンデータ交換によって支援されるハンドオーバーの場合、ネットワーク上のバックボーンデータ交換によらないハンドオーバーの場合、サービス提供基地局のセル内で他のＦＡにハンドオーバーが起こり、新しいＦＡに対するネットワークエントリー過程を経る場合、サービス提供基地局で予め移動局のハンドオーバーに必要なＦＡを割り当て、移動局がハンドオーバーを行えるようにする場合のうち何れか一つであることを特徴とする請求項７に記載のハンドオーバー制御方法。
【請求項９】
前記ハンドオーバー遂行知らせメッセージを受信した後、前記移動局に対する呼を解除する段階をさらに含んで構成される請求項７に記載のハンドオーバー制御方法。
【請求項１０】
再登録／解除命令メッセージを伝送する段階をさらに含み、前記再登録／解除命令メッセージに含まれた情報に基づいて前記移動局の呼を解除することを特徴とする請求項９に記載のハンドオーバー遂行方法。
【請求項１１】
前記再登録／解除命令メッセージに含まれた情報は、実行コードであることを特徴とする請求項１０に記載のハンドオーバー遂行方法。
【請求項１２】
前記実行コードは、前記移動局が前記移動局の媒体接続制御及び連結識別子を全て維持した状態で呼を解除することを示すことを特徴とする請求項１１に記載のハンドオーバー遂行方法。
【請求項１３】
前記実行コードは、前記移動局が前記移動局の媒体接続制御を維持した状態で呼を解除することを示すことを特徴とする請求項１１に記載のハンドオーバー遂行方法。
【請求項１４】
前記実行コードは、前記移動局の媒体接続制御及び連結識別子を全て削除し、前記ハンドオーバー目的基地局にネットワーク再進入することを示すことを特徴とする請求項１１に記載のハンドオーバー遂行方法。
【請求項１５】
前記目的基地局は、２以上の周波数割り当てを支援することを特徴とする請求項１に記載のハンドオーバー制御方法。
【請求項１６】
前記支援可能な周波数割り当ては、前記目的基地局が支援する２以上の周波数割り当てから選択された周波数割り当てであることを特徴とする請求項１５に記載のハンドオーバー制御方法。
【請求項１７】
前記移動局を含む前記サービス提供基地局内の移動局に、周辺基地局情報を含むネットワークトポロジー広告メッセージを伝送する段階をさらに含んで構成される請求項１に記載のハンドオーバー制御方法。
【請求項１８】
一つの基地局が多重周波数割り当てを支援する広帯域無線接続システムで、前記基地局が周波数割り当て間ハンドオーバーを制御する方法において、
移動局に、前記基地局が提供する特定の周波数割り当てでハンドオーバーを行うことを要請するハンドオーバー要請メッセージを伝送する段階と、
前記移動局から、ハンドオーバー実行モードに関する情報を含むハンドオーバー遂行知らせメッセージを受信する段階と、
前記実行モードに基づいて、前記周波数割り当てでネットワーク再進入手順を遂行する段階と、を含んで構成されるハンドオーバー制御方法。
【請求項１９】
前記実行モードは、ネットワーク上のバックボーンデータ交換によって支援されるハンドオーバーの場合、ネットワーク上のバックボーンデータ交換によらないハンドオーバーの場合、サービス提供基地局のセル内で他のＦＡに直接ハンドオーバーが起こり、新しいＦＡに対してネットワークエントリー過程を経る場合、サービス提供基地局で予め移動局のハンドオーバーに必要なＦＡを割り当て、移動局がハンドオーバーを行えるようにする場合のうち何れか一つであることを特徴とする請求項１８に記載のハンドオーバー制御方法。
【請求項２０】
多重周波数割り当てを支援する基地局を有する広帯域無線接続システムで、サービス提供基地局がハンドオーバーを制御する方法において、
ハンドオーバー目的基地局に、ハンドオーバーを行う移動局の識別子を含むハンドオーバー要請知らせメッセージを伝送する段階と、
前記ハンドオーバー目的基地局から、前記移動局のために支援可能な周波数割り当てに関する情報を含むハンドオーバー知らせ応答メッセージを受信する段階と、
前記ハンドオーバー目的基地局に、前記移動局が前記支援可能な周波数割り当てでハンドオーバーを行うことを知らせるハンドオーバー確認メッセージを伝送する段階と、
前記移動局に、前記ハンドオーバー目的基地局の周波数割り当てでハンドオーバーを要請するハンドオーバー要請メッセージを伝送する段階と、を含んで構成されるハンドオーバー制御方法。
【請求項２１】
前記移動局から、前記移動局が前記目的基地局の周波数割り当てでハンドオーバーを行うことを知らせるハンドオーバー遂行知らせメッセージを受信する段階をさらに含んで構成される請求項２０に記載のハンドオーバー制御方法。
【発明の詳細な説明】
【技術分野】
【０００１】
本発明は、広帯域無線接続システムに適用される周波数間ハンドオーバー方法に関するもので、詳しくは、基地局が少なくとも２以上の周波数割り当て（Ｆｒｅｑｕｅｎｃｙ  Ａｌｌｏｃａｔｉｏｎ；以下、‘ＦＡ’という）を用いて移動局にデータを伝送する場合、周波数間ハンドオーバー方法を提供する方法に関するものである。
【背景技術】
【０００２】
広帯域無線接続システムに対する国際標準化を進行中であるＩＥＥＥ８０２．１６ｅシステムは、複数のＦＡを用いた一層効率的なデータ伝送を可能にする。すなわち、一つの基地局に一つの周波数帯域のみを割り当て、その帯域内のみでデータを伝送していた従来の方式とは異なり、一つの基地局に多数個の周波数帯域を割り当てることで、加入者の収容量を増加させ、一層効率的なデータ伝送が可能になる。
【０００３】
図１は、多重ＦＡを支援する広帯域無線接続システムにおいて、セル内の周波数間ハンドオーバー及び互いに異なるセル間の周波数間ハンドオーバーを示す一実施形態の説明図である。
【０００４】
図１に示すように、多重ＦＡシステムにおいては、移動局が一つのセル内で第１周波数帯域（ＦＡ１）を用いてデータを受信する場合、より多くの帯域幅を必要とするマルチメディアなどのデータを受信しようとする試みがある。この場合、前記第１周波数帯域（ＦＡ１）の資源が既に他の移動局によって占有されているなら、前記第１周波数帯域（ＦＡ１）を通して前記移動局にマルチメディアサービスを行うことが不可能である。このとき、前記移動局に余裕のある第２周波数帯域（ＦＡ２）を割り当てることで、前記マルチメディアサービスが可能になる。
【０００５】
上記のような場合、ＦＡ間ハンドオーバーが必要になる。ＦＡ間ハンドオーバーは、図１に示すように、二つの方法で行える。すなわち、一つのセル内で、第１周波数帯域（ＦＡ１）から第２周波数帯域（ＦＡ２）にハンドオーバーする場合（１１）と、第１周波数帯域（ＦＡ１）を使用するセルで、第１周波数帯域（ＦＡ１）から第４周波数帯域（ＦＡ４）にハンドオーバーする場合（１２）がある。
【０００６】
上記のように多重ＦＡを使用する場合、セル内で或いは互いに異なるセル間でＦＡ間ハンドオーバーを行う必要がある。しかしながら、現在まで、一つのセル内で多重ＦＡを使用する場合のＦＡ間ハンドオーバー方法が提案されていない。一方、移動局がサービス提供基地局からハンドオーバー目的基地局にハンドオーバーを行う場合、前記ハンドオーバー目的基地局で提供する多重ＦＡのうち何れ側にハンドオーバーを行うか、さらに、何れの方法でハンドオーバーを行うかに対する提案がなされていないという問題点がある。
【発明の開示】
【発明が解決しようとする課題】
【０００７】
本発明は、上記の問題点を解決するためのもので、その目的は、多重ＦＡを支援する広帯域無線接続システムにおいて、一つのセルのＦＡ間ハンドオーバー方法及び互いに異なるセルにおけるＦＡ間ハンドオーバー方法を提供することにある。
【課題を解決するための手段】
【０００８】
本発明は、多重周波数割り当てを支援する広帯域無線接続システムで、サービス提供基地局がハンドオーバーを制御する方法において、移動局から、前記移動局の識別子を含むハンドオーバー要請メッセージを受信する段階と、ハンドオーバー目的基地局に、前記移動局の識別子を含むハンドオーバー要請知らせメッセージを伝送する段階と、前記目的基地局が支援可能な周波数割り当てに関する情報を含むハンドオーバー要請知らせ応答メッセージを受信する段階と、前記移動局に、前記周波数割り当てに関する情報を含むハンドオーバー応答メッセージを伝送する段階と、を含んで構成される。
【０００９】
また、本発明は、一つの基地局が多重周波数割り当てを支援する広帯域無線接続システムで、前記基地局が周波数割り当て間ハンドオーバーを制御する方法において、移動局に、前記基地局が提供する特定の周波数割り当てでハンドオーバーを行うことを要請するハンドオーバー要請メッセージを伝送する段階と、前記移動局から、ハンドオーバー実行モードに関する情報を含むハンドオーバー遂行知らせメッセージを受信する段階と、前記実行モードに基づいて、前記周波数割り当てでネットワーク再進入手順を遂行する段階と、を含んで構成される。
【００１０】
また、本発明は、多重周波数割り当てを支援する基地局を有する広帯域無線接続システムで、サービス提供基地局がハンドオーバーを制御する方法において、ハンドオーバー目的基地局に、ハンドオーバーを行う移動局の識別子を含むハンドオーバー要請知らせメッセージを伝送する段階と、前記ハンドオーバー目的基地局から、前記移動局のために支援可能な周波数割り当てに関する情報を含むハンドオーバー知らせ応答メッセージを受信する段階と、前記ハンドオーバー目的基地局に、前記移動局が前記支援可能な周波数割り当てでハンドオーバーを行うことを知らせるハンドオーバー確認メッセージを伝送する段階と、前記移動局に、前記ハンドオーバー目的基地局の周波数割り当てでハンドオーバーを要請するハンドオーバー要請メッセージを伝送する段階と、を含んで構成される。
【産業上の利用可能性】
【００１１】
本発明は、多重ＦＡを支援する広帯域無線接続システムにおいて、一つのセルのＦＡ間ハンドオーバー方法及び互いに異なるセルにおけるＦＡ間ハンドオーバー方法を提供する。
【発明を実施するための最良の形態】
【００１２】
以下、本発明の好適な実施の形態について、添付の図面に基づいて詳細に説明する。
【００１３】
図２は、本発明において、移動局の要請によって他のセルにＦＡ間ハンドオーバーを行う過程を示した一実施形態のフローチャートである。図２は、サービス提供基地局が第１ＦＡ（ＦＡ１）及び第２ＦＡ（ＦＡ２）を支援し、目的基地局が第３ＦＡ（ＦＡ３）及び第４ＦＡ（ＦＡ４）を支援する場合の一例を示した図である。基地局は、網構成と関連した情報のためのネットワークトポロジー広告メッセージＭＯＢ＿ＮＢＲ−ＡＤＶを通して、周辺基地局の情報をセル内の全ての端末に知らせる（Ｓ２０１）。次の表１は、本発明に適用されるネットワークトポロジー広告メッセージを示した一例である。
【００１４】
【表１】
2008502272.tif 000003
表１で、ＦＡ＿ＩＤフィールドは、特定の周辺基地局が支援するＦＡを示したフィールドである。
【００１５】
移動局は、前記ネットワークトポロジー広告メッセージを用いて、スキャニング区間の間、周辺基地局に対してスキャニングを行い、周辺基地局から伝送されるチャネルの品質を把握する（Ｓ２０２）。このとき、移動局は、一つの目的基地局が支援する全てのＦＡに対してスキャニング過程を行うか、一つの目的基地局が支援するＦＡのうち一つに関してのみスキャニング過程を行うこともある。
【００１６】
以下、多重ＦＡを支援する一つの目的基地局に対し、一つのＦＡのみを対象にしてスキャニングを行う方法を説明する。
【００１７】
スキャニング過程の完了後、移動局は、前記各周辺基地局のうちハンドオーバーするのに適したハンドオーバー目的基地局を選択する。その後、前記移動局は、選択された目的基地局情報を含むハンドオーバー要請メッセージＭＯＢ−ＭＳＳＨＯ−ＲＥＱをサービス提供基地局に伝送する（Ｓ２０３）。サービス提供基地局は、ハンドオーバー要請知らせメッセージＨＯ−ｐｒｅ−ｎｏｔｉｆｉｃａｔｉｏｎを通して、前記ハンドオーバー目的基地局に、ハンドオーバーしようとする移動局があることを知らせる（Ｓ２０４）。前記ハンドオーバー要請知らせメッセージは、移動局識別子、連結パラメータ、収容能力及び必要な帯域幅とサービス品質に関する情報などを含む。
【００１８】
ハンドオーバー目的基地局は、前記ハンドオーバー要請知らせメッセージに含まれた情報を用いて、自身の支援するＦＡのうち何れが支援可能であるかを判断し（Ｓ２０５）、その結果を含むハンドオーバー要請知らせ応答ＨＯ−ｐｒｅ―ｎｏｔｉｆｉｃａｔｉｏｎ―ｒｅｓｐｏｎｓｅメッセージをサービス提供基地局に伝送する（Ｓ２０６）。前記ハンドオーバー知らせ応答メッセージは、前記ハンドオーバー要請知らせメッセージに対する受信確認情報、及びハンドオーバー要請知らせメッセージを通して伝送されたＱｏＳクラスと同一のＱｏｓを提供するという情報などを含む。
【００１９】
本実施形態において、移動局は、目的基地局の支援するＦＡのうち第３ＦＡ（ＦＡ３）に対してスキャニングしたが、以下、目的基地局の支援可能なＦＡが第４ＦＡ（ＦＡ４）である場合を説明する。上記のように、目的基地局が第４ＦＡ（ＦＡ４）を支援できる場合、ハンドオーバー要請知らせ応答メッセージに、第４ＦＡ（ＦＡ４）を支援できることを知らせる。前記支援可能なＦＡ情報は、中心周波数情報を直接示すか、各ＦＡごとに予め約束されたＦＡ識別子ＦＡ＿ＩＤ（ＦＡ  Ｉｄｅｎｔｉｆｉｅｒ）を用いて一層簡略に示すこともある。次の表２は、本発明に適用されるハンドオーバー要請知らせ応答ＨＯ−ｐｒｅ―ｎｏｔｉｆｉｃａｔｉｏｎ―ｒｅｓｐｏｎｓｅメッセージを示した一例である。
【００２０】
【表２】
2008502272.tif 000004
目的基地局からハンドオーバー要請知らせ応答メッセージを受信したサービス提供基地局は、ハンドオーバー確認ＨＯ−ｃｏｎｆｉｒｍメッセージを通して、移動局が前記目的基地局の第４ＦＡ（ＦＡ４）にハンドオーバーすることを前記目的基地局に知らせる（Ｓ２０７）。その後、前記サービス提供基地局は、第４ＦＡ（ＦＡ４）の中心周波数或いは予め約束されたＦＡ＿ＩＤを含むハンドオーバー応答ＭＯＢ−ＨＯ−ＲＳＰメッセージを前記移動局に伝送する（Ｓ２０８）。次の表３は、本発明に適用されるハンドオーバー応答メッセージの一例を示したものである。
【００２１】
【表３】
2008502272.tif 000005
ハンドオーバー応答メッセージを受信した移動局は、前記サービス提供基地局に、ハンドオーバー遂行を知らせるハンドオーバー遂行知らせＭＯＢ−ＨＯ−Ｉｎｄｉｃａｔｉｏｎメッセージを伝送し（Ｓ２０９）、これを受信したサービス提供基地局は、移動局に対する呼を解除する（Ｓ２１０）。
【００２２】
次の表４は、本発明に適用されるハンドオーバー遂行知らせメッセージの一例を示したものである。
【００２３】
【表４】
2008502272.tif 000006
移動局が、同一のセル内で他のＦＡにハンドオーバーを行う場合は、表４において、ＢＳ＿ＩＤフィールドはサービス提供基地局のＩＤを示し、ＦＡ＿ＩＤフィールドは、ハンドオーバーしようとするＦＡの識別子を示す。
【００２４】
移動局は、前記ハンドオーバー目的基地局の選択された第４ＦＡ（ＦＡ４）から高速レンジングＩＥ（Ｆａｓｔ  Ｒａｎｇｉｎｇ＿ＩＥ）を受信し（Ｓ２１１）、これを用いて前記目的基地局にレンジングを要請し（Ｓ２１２）、前記目的基地局がレンジングに応答することで（Ｓ２１３）、ハンドオーバーが行われる。
【００２５】
図３は、本発明において、基地局の要請によって一つのセル内でＦＡ間ハンドオーバーを行う過程を示した一実施形態のフローチャートである。
【００２６】
図３に示すように、移動局のハンドオーバー要請なしにも、基地局が任意にハンドオーバーを要請することができる。すなわち、基地局は、移動局にハンドオーバー要請メッセージＭＯＢ−ＢＳＨＯ−ＲＥＱを伝送することで（Ｓ３０１）、移動局が前記基地局内の他のＦＡにハンドオーバーを行うようにする。ただし、前記ハンドオーバー要請メッセージを受信した移動局は、ハンドオーバーを常時行うべきではなく、基地局が要請したハンドオーバーを拒絶することもできる。
【００２７】
前記基地局から移動局に伝送されるハンドオーバー要請メッセージは、セル内のＦＡ間で起こるハンドオーバーであるか、または、他のセルとの関係でＦＡ間で起こるハンドオーバーであるかを示す情報を含む。
【００２８】
また、前記ハンドオーバー要請メッセージには、実行モードに関する情報が含まれるが、実行モードは、下記のような五つの場合を含む。
【００２９】
（１）ネットワーク上のバックボーンデータ交換によって支援されるハンドオーバー
（２）ネットワーク上のバックボーンデータ交換によらないハンドオーバー
（３）サービス提供基地局のセル内で他のＦＡに直接ハンドオーバーを起こる場合
（４）サービス提供基地局のセル内で他のＦＡにハンドオーバーが起こり、新しいＦＡに対してネットワークエントリー過程を経る場合
（５）サービス提供基地局で予め移動局のハンドオーバーに必要な非競争レンジング領域及びＦＡを割り当てることで、移動局が迅速なハンドオーバーを行えるようにする場合
したがって、上記の（１）及び（２）は、目的基地局のＦＡにハンドオーバーを行う場合で、（３）〜（５）は、サービス提供基地局内の他のＦＡにハンドオーバーを行う場合である。
【００３０】
表５は、基地局から移動局に伝送されるハンドオーバー要請メッセージを示した一例である。
【００３１】
【表５】
2008502272.tif 000007
表５のように、ハンドオーバー要請メッセージは、次の五つの実行モードを含む。
【００３２】
ハンドオーバー要請メッセージを受信した移動局は、前記サービス提供基地局に、ハンドオーバー遂行を知らせるハンドオーバー遂行知らせＭＯＢ−ＨＯ−Ｉｎｄｉｃａｔｉｏｎメッセージを伝送する（Ｓ３０２）。その後、前記移動局がサービス提供基地局とネットワークリエントリー手順を行い（Ｓ３０３）、上記の五つの実行モードのうち何れか一つによって、ＦＡ２に対するネットワークリエントリー手順を行う。
【００３３】
図４は、本発明において、基地局の要請によって互いに異なるセルのＦＡ間ハンドオーバーを行う過程を示した一実施形態のフローチャートである。
【００３４】
図４に示すように、サービス提供基地局は、ハンドオーバー要請知らせＨＯ−ｐｒｅ−ｎｏｔｉｆｉｃａｔｉｏｎメッセージを通して、前記ハンドオーバー目的基地局に、ハンドオーバーを行う必要のある移動局が存在することを知らせる（Ｓ４０１）。前記ハンドオーバー要請知らせメッセージは、移動局識別子、連結パラメータ、収容能力、必要な帯域幅とサービス品質に関する情報を含む。
【００３５】
ハンドオーバー目的基地局は、前記ハンドオーバー要請知らせメッセージに含まれた情報を用いて、自身が支援するＦＡのうち何れを前記移動局に支援できるかを把握する（Ｓ４０２）。その後、その結果を、ハンドオーバー要請知らせ応答ＨＯ−Ｐｒｅ−ｎｏｔｉｆｉｃａｔｉｏｎ―ｒｅｓｐｏｎｓｅメッセージに含ませてサービス提供基地局に伝送する（Ｓ４０３）。
【００３６】
前記ハンドオーバー知らせ応答メッセージは、前記ハンドオーバー要請知らせメッセージに対する受信確認情報、及びハンドオーバー要請知らせメッセージを通して伝送されたＱｏＳクラスと同一のＱｏＳを提供するという情報などを含む（Ｓ４０３）。
【００３７】
前記支援可能なＦＡ情報は、中心周波数情報を直接示すか、各ＦＡごとに予め約束されたＦＡ識別子ＦＡ＿ＩＤを用いて一層簡略に示すこともある。
【００３８】
目的基地局から応答メッセージを受信したサービス提供基地局は、ハンドオーバー確認ＨＯ−ｃｏｎｆｉｒｍメッセージを通して、移動局が前記目的基地局の特定のＦＡにハンドオーバーすることを前記目的基地局に知らせる（Ｓ４０４）。
【００３９】
その後、前記サービス提供基地局は、ハンドオーバー要請ＭＯＢ−ＢＳＨＯ−ＲＥＱを用いて、前記特定のＦＡに関する情報を移動局に伝送する（Ｓ４０５）。ハンドオーバー応答メッセージを受信した移動局は、サービス提供基地局にハンドオーバー遂行を知らせるハンドオーバー遂行知らせＭＯＢ−ＨＯ−ＩＮＤメッセージを伝送する（Ｓ４０６）。
【００４０】
その後、移動局は、隣接基地局に対するスキャニングを行い（Ｓ４０７）、前記目的基地局の特定のＦＡにハンドオーバーを行うかどうかを決定する。前記特定のＦＡにハンドオーバーを行う場合、移動局は、目的基地局から前記特定のＦＡのための高速レンジングＩＥを受信する（Ｓ４０８）。
【００４１】
図５は、互いに異なるセルのＦＡ間でハンドオーバーを行う過程を示した一実施形態のフローチャートである。
【００４２】
図５に示すように、サービス提供基地局は、移動局に再登録／解除命令ＤＲＥＧ−ＣＭＤメッセージを伝送する（Ｓ５０１）。前記再登録／解除命令メッセージは、移動局がハンドオーバー時に行う実行内容に関する情報を有する実行コードを含む。次の表５は、実行コード及びこれによる実行内容を示した一例である。
【００４３】
【表６】
2008502272.tif 000008
前記再登録／解除命令メッセージに含まれた実行コードが０ｘ０８である場合、移動局は、サービス提供基地局のＦＡ１を解除し（Ｓ５０３）、ハンドオーバー目的基地局のＦＡ２に連結を行う（Ｓ５０４）。このとき、ネットワークリエントリー過程がないので、前記移動局のＭＡＣ住所及びＣＩＤが維持される。
【００４４】
一方、再登録／解除命令メッセージに含まれた実行コードが０ｘ０９である場合、移動局は、サービス提供基地局のＦＡ１を解除し（Ｓ５０５）、ハンドオーバー目的基地局のＦＡ２に連結を行う。このとき、移動局は、高速レンジングＩＥを受信する（Ｓ５０６）。すなわち、目的基地局は、ハンドオーバーを行う移動局にＦＡ２を予め割り当て、競争なしに移動局との連結を行う。したがって、前記移動局のＭＡＣ住所がそのまま維持される。
【００４５】
一方、再登録／解除命令メッセージに含まれた実行コードが０ｘ０ａである場合、サービス提供基地局のＦＡ１を解除し（Ｓ５０８）、目的基地局のＦＡ２に対するネットワークエントリー過程を新しく行う（Ｓ５０９）。したがって、この場合、前記移動局のＭＡＣ住所及びＣＩＤなどの従来の情報が廃棄される。
【図面の簡単な説明】
【００４６】
【図１】多重ＦＡを支援する広帯域無線接続システムにおいて、セル内の周波数間ハンドオーバー及び互いに異なるセル間の周波数間ハンドオーバーを示した一実施形態の説明図である。
【図２】本発明において、移動局の要請によって互いに異なるセルで周波数割り当て間ハンドオーバーを行う過程を示した一実施形態のフローチャートである。
【図３】本発明において、基地局の要請によって一つのセル内でＦＡ間ハンドオーバーを行う過程を示した一実施形態のフローチャートである。
【図４】本発明において、基地局の要請によって互いに異なるセルのＦＡ間ハンドオーバーを行う過程を示した一実施形態のフローチャートである。
【図５】本発明によって互いに異なるセルのＦＡ間でハンドオーバーを行う過程を示した一実施形態のフローチャートである。
【図１】
2008502272.tif 000009
【図２】
2008502272.tif 000010
【図３】
2008502272.tif 000011
【図４】
2008502272.tif 000012
【図５】
2008502272.tif 000013
【国際調査報告】
2008502272.tif 000014
2008502272.tif 000015
2008502272.tif 000016